(57)【要約】【課題】支柱天端において十字方向にワイヤーを固定して上方及び側方への位置ずれを防止することができると共に、ワイヤーの取り付けを簡便に行うことができるワイヤーの支柱天端のワイヤー固定構造及びワイヤー固定部材を提供する。【解決手段】支柱天端にワイヤーが挿通可能な幅のワイヤー溝２が設けられ、ワイヤー溝２の両側を形成する断面半円状の柱状体３の、下端付近に１／８〜３／８円形状にワイヤーが挿通可能な座繰り部４が設けられ、座繰り部４の上方がワイヤー抑え部５となされると共に、ワイヤー抑え部５からワイヤー溝２側に突起部６が突出して設けられ、突起部６がワイヤー溝２側に弾性変形により進退自在となされ、ワイヤー溝２内に上方からワイヤーが嵌挿可能となされると共に、嵌挿されたワイヤーの上方への位置ずれがワイヤー抑え部５及び突起部６により抑制されるように構成する。【選択図】        図１
2008193962.tif 000002
【特許請求の範囲】
【請求項１】
支柱天端にワイヤーが挿通可能な幅のワイヤー溝が設けられ、ワイヤー溝の両側を形成する断面半円状の柱状体の、下端付近に１／８〜３／８円形状にワイヤーが挿通可能な座繰り部が設けられ、座繰り部の上方がワイヤー抑え部となされると共に、ワイヤー抑え部からワイヤー溝側に突起部が突出して設けられ、該突起部がワイヤー溝側に弾性変形により進退自在となされ、前記ワイヤー溝内に上方からワイヤーが嵌挿可能となされると共に、嵌挿されたワイヤーの上方への位置ずれがワイヤー抑え部及び突起部により抑制されていることを特徴とする支柱天端のワイヤー固定構造。
【請求項２】
前記突起部は、上面が上向きの傾斜面を備えたものであることを特徴とする請求項１に記載の支柱天端のワイヤー固定構造。
【請求項３】
支柱天端に取り付けられる本体の上面にワイヤーが挿通可能な幅のワイヤー溝が設けられ、ワイヤー溝の両側を形成する断面半円状の柱状体の、下端付近に１／８〜３／８円形状にワイヤーが挿通可能な座繰り部が設けられ、座繰り部の上方がワイヤー抑え部となされると共に、ワイヤー抑え部からワイヤー溝側に突起部が突出して設けられ、該突起部がワイヤー溝側に弾性変形により進退自在となされていることを特徴とするワイヤー固定部材。
【発明の詳細な説明】
【技術分野】
【０００１】
本発明は、農業用等の支柱天端にワイヤーを固定するための支柱天端のワイヤー固定構造及びワイヤー固定部材に関するものである。
【背景技術】
【０００２】
支柱天端に、十字方向にワイヤーを固定する固定構造が開示されているものとして、例えば非特許文献１には支柱天端に取り付けられワイヤーを嵌着可能な溝部が十字方向に設けられている果樹棚支柱用キャップが、非特許文献２には同じく十字方向にワイヤーを嵌着可能な溝部を設けていると共に、溝部の交差部分にワイヤーを下方に押さえつけるためのリング状体が備えられた果樹棚用支柱キャップが開示されている。
【０００３】
【特許文献１】意匠第６６３６６５号公報
【特許文献２】意匠第６８０４００号公報
【発明の開示】
【発明が解決しようとする課題】
【０００４】
しかしながら、非特許文献１に記載のような果樹棚支柱用キャップを用いた従来の支柱天端のワイヤー固定構造では、ワイヤーを十字方向に固定するのは容易ではあるものの、ワイヤーが上方にせり上がって容易に溝部から脱落する恐れがあった。また非特許文献２に記載のような果樹棚用支柱キャップを用いた従来の支柱天端のワイヤー固定構造では、リング状体によりワイヤーの上方へのせり上がりは防止できるものの、ワイヤーをリング状体に挿通させる必要がありワイヤーの取り付けが煩瑣なものとなるものであった。
【０００５】
本発明は上記の如き課題に鑑みてなされたものであり、支柱天端において十字方向にワイヤーを固定して上方及び側方への位置ずれを防止することができると共に、ワイヤーの取り付けを簡便に行うことができるワイヤーの支柱天端のワイヤー固定構造及びワイヤー固定部材を提供せんとするものである。
【課題を解決するための手段】
【０００６】
上記目的を達成するため、本発明は以下のような構成としている。すなわち、本発明に係わる支柱天端のワイヤー固定構造は、支柱天端にワイヤーが挿通可能な幅のワイヤー溝が設けられ、ワイヤー溝の両側を形成する断面半円状の柱状体の、下端付近に１／８〜３／８円形状にワイヤーが挿通可能な座繰り部が設けられ、座繰り部の上方がワイヤー抑え部となされると共に、ワイヤー抑え部からワイヤー溝側に突起部が突出して設けられ、該突起部がワイヤー溝側に弾性変形により進退自在となされ、前記ワイヤー溝内に上方からワイヤーが嵌挿可能となされると共に、嵌挿されたワイヤーの上方への位置ずれがワイヤー抑え部及び突起部により抑制されていることを特徴とするものである。
【０００７】
本発明に係わる支柱天端のワイヤー固定構造によれば、ワイヤー溝両側の柱状体によりワイヤーの側方への位置ずれが防止されると共に、ワイヤーが挿通されるワイヤー溝の下方が１／８〜３／８円形状の座繰り部となされていることでワイヤーを十字方向に張り巡らすことができ、またワイヤー抑え部及び突起部によりワイヤーの上方及び側方への位置ずれが防止できるが、ワイヤー抑え部からワイヤー溝側に突出して設けられた突起部が弾性変形により進退自在となされていることで、ワイヤー溝の上方からワイヤーをワイヤー溝内に嵌挿してワイヤーの取り付けは簡便に可能なものとなり得る。
【０００８】
また前記突起部は、上面が上向きの傾斜面を備えたものであれば、ワイヤー溝へのワイヤーの嵌挿を更に円滑なものとでき好ましい。
【０００９】
また本発明に係わるワイヤー固定部材は、支柱天端に取り付けられる本体の上面にワイヤーが挿通可能な幅のワイヤー溝が設けられ、ワイヤー溝の両側を形成する断面半円状の柱状体の、下端付近に１／８〜３／８円形状にワイヤーが挿通可能な座繰り部が設けられ、座繰り部の上方がワイヤー抑え部となされると共に、ワイヤー抑え部からワイヤー溝側に突起部が突出して設けられ、該突起部がワイヤー溝側に弾性変形により進退自在となされていることを特徴とするものである。
【００１０】
本発明に係わるワイヤー固定部材によれば、ワイヤー溝両側の柱状体によりワイヤーの側方への位置ずれが防止されると共に、ワイヤーが挿通されるワイヤー溝の下方が１／８〜３／８円形状の座繰り部となされていることでワイヤーを十字方向に張り巡らすことができ、またワイヤー抑え部及び突起部によりワイヤーの上方及び側方への位置ずれが防止できるが、ワイヤー抑え部からワイヤー溝側に突出して設けられた突起部が弾性変形により進退自在となされていることで、ワイヤー溝の上方からワイヤーをワイヤー溝内に嵌挿してワイヤーの取り付けは簡便に可能なものとなり得る。
【発明の効果】
【００１１】
本発明に係わる支柱天端のワイヤー固定構造によれば、ワイヤー溝両側の柱状体によりワイヤーの側方への位置ずれが防止されると共に、ワイヤーが挿通されるワイヤー溝の下方が１／８〜３／８円形状の座繰り部となされていることでワイヤーを十字方向に張り巡らすことができ、またワイヤー抑え部及び突起部によりワイヤーの上方及び側方への位置ずれが防止できるが、ワイヤー抑え部からワイヤー溝側に突出して設けられた突起部が弾性変形により進退自在となされていることで、ワイヤー溝の上方からワイヤーをワイヤー溝内に嵌挿してワイヤーの取り付けは簡便に可能なものとなり得る。
【００１２】
また本発明に係わるワイヤー固定部材によれば、ワイヤー溝両側の柱状体によりワイヤーの側方への位置ずれが防止されると共に、ワイヤーが挿通されるワイヤー溝の下方が１／８〜３／８円形状の座繰り部となされていることでワイヤーを十字方向に張り巡らすことができ、またワイヤー抑え部及び突起部によりワイヤーの上方及び側方への位置ずれが防止できるが、ワイヤー抑え部からワイヤー溝側に突出して設けられた突起部が弾性変形により進退自在となされていることで、ワイヤー溝の上方からワイヤーをワイヤー溝内に嵌挿することで、リング状体に挿通等する必要なくワイヤーの取り付けを簡便なものとできる。
【発明を実施するための最良の形態】
【００１３】
本発明に係わる最良の実施の形態について、図面に基づき以下に具体的に説明する。
【００１４】
図１は、本発明に係る支柱天端のワイヤー固定部材の、実施の一形態を示す斜視図である。ワイヤー固定部材１０は、支柱２０の天端に取り付けられる本体１の上面１１に柱状体３が間隔Ｋをおいて二体設けられ、柱状体３間が上方に開口されたワイヤー溝２となされると共に、間隔Ｋが嵌挿されるワイヤーの外径より僅かに大きくされることでワイヤー溝２の上方からワイヤーがワイヤー溝２内に嵌挿可能となされている。柱状体３の下端付近には、略１／６円形状にワイヤーの外径より大きくなされワイヤーが挿通可能となされた座繰り部４が設けられることで柱状体３の下端付近が断面楔状となされると共に、座繰り部４の上方はワイヤー抑え部５となされている。ワイヤー抑え部５からワイヤー溝２側には突起部６が突出して設けられ、突起部６は上面が上向きの傾斜面６１となされている。ワイヤー固定部材１０は、合成樹脂を用いて全体が射出成形により一体に形成されていることでワイヤー溝２側に弾性変形により進退自在となされている。
【００１５】
またワイヤー抑え部５の下方からは、柱状体３下端の略１／６円形状の基本座繰り部４１に加え、更に上方に上方座繰り部４２が設けられ、上方座繰り部４２は、ワイヤー抑え部５の突起部６が設けられた突起形成部５１を除いて設けられると共に、更に突起形成部５１を除いてワイヤー溝２側に開口されている。ワイヤー溝２側の開口部４２１は嵌挿されるワイヤーが挿通可能に開口されたものである。また本体１の側面１２には、ネット材の引っ掛け孔に引っ掛けてネット材を取り付けるための上方に開口されたＬ字状のフック１３が設けられ、側面１２のフック１３側には、表示板の離脱を防止するＶ字状の突起１４が設けられている。
【００１６】
図２は、ワイヤー溝２への挿通状態を示すもので、（ａ）は斜視図、（ｂ）はワイヤー延設方向からの側面図である。まず（ａ）において、ワイヤーＷ１はワイヤー溝２が設けられた方向αに沿って取り付けられたものであり、ワイヤー溝２への嵌挿の際は、ワイヤーＷ１を上方からワイヤー溝２内に挿入すると、突起部６は弾性変形して後退しワイヤーＷ１は突起部６の下方に嵌挿されると共に、突起部６が抜け止めとなって上方への位置ずれが抑止されると共に、二体の柱状体３により左右への位置ずれも防止される。
【００１７】
次に（ｂ）において、突起部６はワイヤー溝２側にＶ字状に突設されたものであり、上面６１が上向きの傾斜面となされていることで上方からワイヤーＷ１が押し付けられた際に突起部６が円滑に弾性変形して後退できるようになされている。更に下面６２が下向きの傾斜面となされると共に、鉛直方向となす角度が上面６１より下面６２のほうが大きくなされていることで、ワイヤー溝２からワイヤーＷ１を外す際にある程度円滑としていると同時に、ワイヤーＷ１の嵌入時ほど容易にワイヤーＷ１が脱離しないようになされている。
【００１８】
更に突起形成部５１背後の柱状体３に上方座繰り部４２が設けられて空間部分となされていることで、ワイヤー固定部材１０がある程度硬度の高い材料から形成されている場合であってもワイヤー溝２に対して円滑に進退自在とすることが可能となり得る。
【００１９】
ワイヤー溝２は、嵌挿されるワイヤーＷ１が嵌挿可能な間隔Ｋとなされていればよいが、あまりに大きすぎるとワイヤー溝２内におけるワイヤーＷ１の動揺が大きくなることから、ワイヤーＷ１の外径の１．１〜２．０倍程度の幅としておくのが好ましい。またワイヤー溝２側への突起部６の張り出しは、突起部６によるワイヤーＷ１の上方への位置ずれが防止でき、且つワイヤーＷ１の嵌挿が可能な程度であればよいが、ワイヤー溝２に対する張り出しの割合は１／８〜３／８程度が好適である。
【００２０】
ワイヤー固定部材１０を形成する材料としては、かかる構成を有する形状を形成可能であれば特に限定されるものではないが、成形の容易さ及びコスト面から合成樹脂を用いて形成するのが好ましく、更には熱可塑性合成樹脂を用いて射出成形により形成するのが好ましい。熱可塑性合成樹脂としては、ポリエチレン、ポリプロピレン、ＡＢＳ樹脂、ＡＡＳ樹脂、ポリ塩化ビニル樹脂等を用いることができるが、衝撃に対し強靱なＡＢＳ樹脂及びＡＡＳ樹脂を好適に用いることができる。又、ポリアセタールは、熱膨張率が比較的低く、温度変化に対する寸法安定性に優れているので、紐状体固定用クリップを支柱に固定した際、紐状体固定用クリップが緩みにくくなり、より好ましい。
【００２１】
図３は、図１に示したワイヤー固定部材を用いて、ワイヤーをワイヤー溝２と直交するように設けた場合を説明するものであり、（ａ）は斜視図、（ｂ）は（ａ）のＡ−Ａ断面を示す横断面図である。まず（ａ）において、ワイヤー溝２から嵌挿されたワイヤーＷ２は、ワイヤー固定部材１０内で屈曲されて、二体の柱状体３における各々の上方座繰り部４２から導出されてワイヤー溝２と直交する方向βに固定されている。ワイヤーＷ２のワイヤー溝２への嵌挿は、まずワイヤーＷ２の一部をワイヤー溝２と同じ方向αに向けてワイヤー溝２内に嵌挿し、嵌挿したワイヤーＷ２を回動させて座繰り部４内に挿入することで行われる。座繰り部４内に挿入されたワイヤーＷ２は、ワイヤー抑え部５により上方への位置ずれが抑止される。
【００２２】
次に（ｂ）において、ワイヤーＷ２は上方座繰り部４２がワイヤー溝２に開口され、且つ柱状体３が断面楔形となされていることで、柱状体３の側面に沿わされることでワイヤーＷ２が方向βに対して延設されるようになされている。ワイヤーＷ２にテンションが掛かっている状態においては、柱状体３側面によりワイヤーＷ２の位置ずれが抑止される。また、断面楔形の柱状体３によりワイヤーＷ２が屈曲されて設けられていることで、ワイヤーＷ２の方向βに対する位置ずれも抑制されるようになり、例えばワイヤーＷ２の位置をずらすのが好ましくない状況において、ワイヤーＷ２が延設される方向を方向βとすることでその位置ずれを抑制するようにすることも可能である。またかかる構成により、ワイヤーＷを方向α及び方向βに対して延設するのは許より、ワイヤー固定部材１０から導出されるワイヤーＷを一方は方向αに、他方は方向βにと十字方向に自在に固定することも可能である。
【００２３】
更にまた、図４に示す如く、方向α及び方向βの両方にワイヤーＷ１及びＷ２を固定することも可能である。（ａ）は斜視図、（ｂ）は側面図であるが、座繰り部４において、基本座繰り部４１の上方に更にワイヤーＷ２が挿通可能な上方座繰り部４２が設けられていることで、ワイヤー溝２に挿入されたワイヤーＷ１の上方にワイヤーＷ２が位置することが可能となり、方向α及び方向βの十字方向においてワイヤーＷ１及びＷ２が互いに邪魔になることなく固定することができる。ワイヤーＷ１及びＷ２の固定においては、まずワイヤーＷ１をワイヤー溝２に嵌挿しておき、その上からワイヤーＷ２をワイヤー溝２に嵌挿し、突起部６とワイヤーＷ１との間を通して回動させることで取り付けるのが好ましい。
【図面の簡単な説明】
【００２４】
【図１】本発明に係わる支柱天端のワイヤー固定部材の、実施の一形態を示す斜視図である。
【図２】本発明に係わる支柱天端のワイヤー固定構造の、実施の一形態を示す説明図である。
【図３】本発明に係わる支柱天端のワイヤー固定構造の、実施の一形態を示す説明図である。
【図４】本発明に係わる支柱天端のワイヤー固定構造の、実施の一形態を示す説明図である。
【符号の説明】
【００２５】
１    本体
１１  本体上面
２    ワイヤー溝
３    柱状体
４    座繰り部
５    ワイヤー抑え部
６    突起部
１０  ワイヤー固定部材
２０  支柱
【図１】
2008193962.tif 000003
【図２】
2008193962.tif 000004
【図３】
2008193962.tif 000005
【図４】
2008193962.tif 000006